(57)【要約】【課題】  コーヒーミル装置（手動式）で必要量の豆を挽くとき、ミル部の下部にある容器に粉がたまる。何回も粉の量を確かめ、多ければペーパーフィルターを入れたドリッパーに移すという作業を、挽き終わるまで繰り返すので時間がかかる。また、コーヒーミルを、掃除するときミル部と本体が、着脱式でないためやりにくい。【解決手段】  コーヒーミル装置（手動式）のミル下部に、ペーパーフィルターを入れたドリッパーを、入れる様にする。１回で、必要量のコーヒー豆が、引けるので時間が掛からない。挽かれた粉は、そのまま溜まる。ドリッパーのはいる部分に、粉の飛散防止用のカバーと一体のトレーを置く。ミル部の掃除もやりやすいように着脱式にする。【選択図】図１
2006102428.tif 000002
【特許請求の範囲】
【請求項１】
いつも新鮮なコーヒー豆で美味しい珈琲が飲めるように、毎回必要量のコーヒー豆を、ミル上部に入れる。必要量の粉が入るペーパーフィルターを入れたドリッパーを、ミル部下部に入れ豆を挽く。この方法により、１回で必要量のコーヒー豆を、ミルで挽くことができる。挽かれた粉は、そのままペーパーフィルターを入れたドリッパーに溜まる。このドリッパーをそのまま、コーヒーカップ、ティーポット等に、のせてすぐにお湯を注げることを特徴とするコーヒーミル装置。
【請求項２】
本体のドリッパーが入る場所の１面が解放されているため、コーヒー豆をミルで挽いたとき、ペーパーフィルターを入れたドリッパーに入らずに、テーブル等の卓上に散らばってしまうことがある。粉の飛散防止のため、また、ドリッパーが、入っているかの確認のため、透明系の樹脂素材でカバーを作製する。カバーをしていてもドリッパーに入らずに、ドリッパーを載せる台の上に粉が落ちてしまう。掃除が楽なようにトレーを作製する。ドリッパーに入らなかった粉は、トレーの上に溜まる。掃除は、トレー内にある粉を捨てるだけでよいので、掃除が楽である。カバーと、トレーが、別々だと具合が悪いので一つの形としてカバー付きトレーとする。形状は、引き出し式なので使いやすい。コーヒー豆を、挽かないときは、ドリッパー収納庫としても使用ができることを特徴とするコーヒーミル装置。
【請求項３】
本体にはミル部があり、ドリッパーを収納する場所がある、コーヒーを抽出するのにペーパーフィルターを、使用する。ペーパーフィルターも同じ場所（本体）あれば使い勝手がよくなる。そのためドリッパーが入る場所の下部にペーパーフィルターを、収納する場所を作製しその形状は、引き出し式の収納箱を特徴とするコーヒーミル装置
【請求項４】
毎回、毎回コーヒー豆を、ミル部で挽いていると、粉や、挽かれなかった豆が内部に残っていることがある。掃除をするときは、ミル部と本体が一体式だと装置全体を動かさないとならず、時間がかかり掃除が大変になる。本体とミル部が着脱式とすることで目的別の掃除（ミル部だけ、或いは、本体だけ）ができるようになり楽になる。本体とミル部が着脱式を特徴とするコーヒーミル装置。
【発明の詳細な説明】
【技術分野】
【０００１】コーヒー豆を、挽くコーヒーミル装置に関する。
【背景技術】
【０００２】コーヒーミル装置の上部にコーヒー豆を入れ、上臼と、下臼との間に豆が入り上臼に固定されている軸を、ハンドルを手で回転することにより、粉上になる。上臼の軸の高さを変えることにより上臼と下臼との隙間が変わり粉の粗さが変わる。粉は、下部にある引き出し式の容器に溜まる。（例えば、特許文献１を参照、この場合は、箱でなくペーパーフィルターを入れたドリッパーになっている）ミル部と本体とが、合体している。
【特許文献１】  公開実用昭和６３−１７９９３７号公報
【発明の開示】
【発明が解決しようとする課題】
【０００３】コーヒー豆を、ミルで挽くと粉となり、下部にある引き出し式の容器に粉となり溜まるが、容器の大きさが小さく、下部にある容器の粉の量を確認して、多くなればドリッパーに移し替える。この動作を、必要量の豆を挽き終わるまで何回も繰り返すため時間がかかる。必要量の豆を、時間をかけずに１回で挽くことができるようにする。【０００４】豆を挽くと辺りに粉が飛び散り、掃除が必要となる。【０００５】コーヒーフィルターも近くになければ、使い勝手が悪い。【０００６】メンテナンスのことを考えてみるとミル部を掃除するとき、本体と合体しているので、掃除がやりづらい。【０００７】本発明は、上記の諸問題を解決するコーヒーミル装置を、提供することを課題とする。
【課題を解決するための手段】
【０００８】請求項１に記載の発明は、ミル部の下部に、必要量のペーパーフィルターを入れたドリッパーを、入れ必要量のコーヒー豆を、１回で挽けるようにドリッパーを入る部分を作製する。【０００９】請求項２に記載の発明は、コーヒー豆を挽いたとき、１面が、空いているため粉が辺りに飛散しやすいので飛散防止用カバーを、また、カバー内にあるドリッパーに入らない粉もあるので、入らない粉をトレーにため掃除を、簡単にするためトレーを、作製する。別々だと使い勝手が悪いので１体式のトレー付きカバーを作製する。【００１０】請求項３に記載の発明は、ドリッパーを入る場所の下部に、ペーパーフィルターを、入る引き出し式の箱を作製する。【００１１】請求項４に記載の発明は、コーヒーミル装置の掃除が目的別（ミル部だけ、或いは、本体だけ）に、簡単にできるようにミル部と本体を着脱式にする。
【発明の効果】
【００１２】必要量の粉が入るペーパーフィルターと、ドリッパーを、入れるため必要量の豆を挽き終わるまで１回ですむ。何回も繰り返していた動作がなくなるため、豆を挽く時間が、少なくてすむ。【００１３】透明系樹脂素材の、トレー付きカバーのため、ドリッパーの確認もでき、挽いたときに粉が、テーブル等の卓上に飛び散ることもない。カバー内にあるドリッパーに入らない粉はトレーに溜まる。掃除は、トレー付きカバーの中の粉を捨てるだけでよい。豆を挽かないときは、ドリッパー収納庫として使用できる。【００１４】ペーパーフィルターを入れる収納箱が、ドリッパーを入れる場所の下部にあるので、ドリッパーにペーパーフィルターを、すぐに入れることができるので使い勝手がよい。【００１５】ドリッパーと、ペーパーフィルターを、本体にコンパクトに収納できているのでコーヒー豆があれば、コーヒーが飲みたいときにすぐに豆を挽くことができる。
【発明を実施するための最良の形態】
【００１６】  図１は、装置全体を表している。
１は、コーヒーミル部を示す。
２は、装置本体を示す。
３は、トレー付きカバーを示し、ペーパーフィルターを入れたドリッパーを、入れる場所である。
４は、ペーパーフィルターを、入れる箱を示す。【００１７】  図２は、トレー付きカバー全体を示す。
５は、ペーパーフィルターを示す。
６は、ドリッパーを示す。図１の３のカバー付きトレーの上に６のドリッパーをのせ、５のペーパーフィルターを、入れ１の本体の３の場所に入れる。【００１８】  図３は、図１の４のペーパーフィルターを入れる箱を示す。この中に、ペーパーフィルターを入れる。
【産業上の利用可能性】
【００１９】一般家庭用として、喫茶店用としての量産が可能
【図面の簡単な説明】
【００２０】
【図１】装置全体
【図２】トレー付きカバー
【図３】ペーパーフィルター
【符号の説明】
１  ミル部
２  本体
３  トレー付きカバー
４  ペーパーフィルターを入れる箱
５  ペーパーフィルター
６  ドリッパー
【図１】
2006102428.tif 000003
【図２】
2006102428.tif 000004
【図３】
2006102428.tif 000005